(57)【要約】【課題】テレビジョン受像器を構成する入出力機能デバイスで、ユーザーが使用していない機能デバイスへの電源供給を制御する。【解決手段】本発明のテレビジョン受像器は、電源供給ユニットと、電源供給をＯＮ／ＯＦＦ制御するスイッチを介して接続される複数の入出力機能デバイスからなり、複数の電源供給ＯＮ／ＯＦＦスイッチをマイクロコンピュータが制御することにより、入出力機能デバイス毎の電源供給を制御することを特徴とする。電源供給をＯＮ／ＯＦＦ制御するスイッチとしては、電源供給ユニットから供給される電源入力端子と、各入出力機能デバイスへ電源供給を行う電源出力端子、そして、電源供給のＯＮ／ＯＦＦを制御する制御端子を有するパワーＦＥＴスイッチが用いられる。【選択図】図１
2011228986.tif 000002
【特許請求の範囲】
【請求項１】
複数の入出力機能デバイスを有するテレビジョン受像器であって、
複数の前記入出力機能デバイスへ電源供給を行なう電源供給部と、
前記電源供給部の電源供給を制御する複数のスイッチ部と、
複数の前記入出力機能デイバスの通信状態に応じて、前記複数のスイッチ部を制御する制御部と、を具備することを特徴とするテレビジョン受像器。
【請求項２】
複数の前記入出力機能デバイスへの電源供給を指示する画面を表示する表示部と、を更に備え、
前記制御部は、前記表示部に表示された前記画面に対する指示に応じて、前記複数のスイッチ部を制御する、ことを特徴とする請求項１に記載のテレビジョン受像器。
【請求項３】
前記表示部は、前記画面に対する指示に応じて、電源供給を停止する入出力機能デイバスによって削減可能な電源供給の量を表示する、ことを特徴とする請求項２に記載のテレビジョン受像器。
【発明の詳細な説明】
【技術分野】
【０００１】
本発明は、テレビジョン受像器に関し、更に詳しくは、機能デバイス、入出力信号系などの機能ブロックへの電源供給を制御するテレビジョン受像器に関するものである。
【背景技術】
【０００２】
近年、デジタル信号処理技術や半導体技術の進歩により入出力信号の機能毎にＬＳＩが供給されるようになり、高機能でありながらも比較的安価にテレビジョン受像器を構成できるようになった。しかし、技術の発展に伴い、ユーザーからのテレビジョン受像器の高性能化に対する要求も増し、新機能を搭載したＬＳＩを多用した結果、テレビジョン受像器が消費する電力も比例して大きくなっている。高性能、高機能化の一方で、すべてのユーザーがテレビジョン受像器に搭載された機能ＬＳＩをすべて使用するわけではなく、不要な電力を常に消費している状態にあるといえる。
【０００３】
従来のテレビジョン受像器では、電源装置を細分化し不要となる特定の機能部のみへの電源供給を制御する仕組みを具備し省電力化を図っている（例えば、特許文献１参照）。このテレビジョン受像器では、テレビジョン受像器が受信したＢＳ放送の映像信号を外部機器へ出力する場合に、従来であればテレビジョン受像器すべての電源をオンする必要があったが、ＢＳ放送を外部へ出力するために必要十分な電源装置とそれらを切り替えるスイッチを別途配置することで、消費電力削減を実現している。
【先行技術文献】
【特許文献】
【０００４】
【特許文献１】特開平０４−２７８７８６号公報
【発明の概要】
【発明が解決しようとする課題】
【０００５】
しかしながら、上記従来のテレビジョン受像器では、主電源オフ時に一部の機能デバイスを使用する際や、ＢＳ放送を視聴しない場合に限って省電力化が可能であるが、ＢＳ放送を視聴中はすべての機能デバイスへ電源が供給されていることとなり消費電力を削減することができなくなるという問題があった。
【０００６】
また、上記従来のテレビジョン受像器では、ＢＳ放送の外部出力用に別途電源装置を設けることとなり、コストアップにつながってしまうという問題もあった。
【０００７】
テレビジョン受像器において省電力を目指すためには、ユーザーの視聴環境や使用状態によっては使用頻度の低い機能や全く使用しない機能もあることからも、使用していない機能デバイスは極力電源供給をＯＦＦすることが望ましく、また、ユーザー自身にも積極的に電源供給ＯＦＦをアピールする必要がある。
【０００８】
本発明は上記従来技術の課題を解決するものであって、テレビジョン受像器を構成する入出力機能デバイスで、ユーザーが使用していない機能デバイスへの電源供給を制御することを可能にし、かつユーザーに機能デバイスへの電源供給ＯＮ／ＯＦＦ制御を選択させることが可能なテレビジョン受像器を提供することを目的とする。
【課題を解決するための手段】
【０００９】
上記従来の課題を解決するために、本発明のテレビジョン受像器は、電源供給ユニットと、電源供給をＯＮ／ＯＦＦ制御するスイッチを介して接続される複数の入出力機能デバイスからなり、複数の電源供給ＯＮ／ＯＦＦスイッチをマイクロコンピュータが制御することにより、入出力機能デバイス毎の電源供給を制御することを特徴とする。電源供給をＯＮ／ＯＦＦ制御するスイッチとしては、電源供給ユニットから供給される電源入力端子と、各入出力機能デバイスへ電源供給を行う電源出力端子、そして、電源供給のＯＮ／ＯＦＦを制御する制御端子を有するパワーＦＥＴスイッチが用いられる。
【００１０】
また、本発明のテレビジョン受像器は、オンスクリーンディスプレイ上へ現在の各入出力機能デバイスの電源制御状態を表示し、ユーザーが表示画面を介して入出力機能デバイスの電源供給ＯＮ／ＯＦＦを指示することを特徴とする。更に、ユーザーからの電源供給ＯＦＦの指示に当たっては、該当の機能デバイスへの電源供給を停止した際に、どの程度消費電力量を削減できるかを定量的に表示することを特徴とする。
【発明の効果】
【００１１】
以上のように、本発明は、電源供給ユニットと入出力機能デバイスとの間に電源供給ＯＮ／ＯＦＦスイッチを設け、入出力機能デバイス毎に電源供給をＯＮ／ＯＦＦ制御する。そして、入出力機能デバイス毎のＯＮ／ＯＦＦ制御をユーザーに開放し機能別に選択可能とし、電源供給ＯＦＦに設定する場合には、その削減効果を定量的に表示する。
【００１２】
よって、本発明によれば、入出力機能デバイス毎の電源制御が可能となり、緻密な消費電力マネージメントができ年間消費電力量削減の効果が大きくなる。また、ユーザーが各入出力機能デバイスの電源供給のＯＮ／ＯＦＦ制御を行うことができるため、ユーザー主体の積極的な消費電力削減が可能となる。更に、ユーザーによる各入出力機能デバイスのＯＮ／ＯＦＦ制御指示時において、オンスクリーンディスプレイ上へ電源供給ＯＦＦ時の消費電力削減量を定量的に認識できることで積極的な消費電力の浪費を抑制することができる。
【図面の簡単な説明】
【００１３】
【図１】本発明の実施の形態１に係るテレビジョン受像器の構成を示すブロック図
【図２】本発明の実施の形態１に係るＴＵＮＥＲへの電源供給ＯＮ／ＯＦＦ制御を示すフローチャート
【図３】本発明の実施の形態１に係る入出力機能デバイス毎の個別の電源ＯＮ/ＯＦＦ制御を促すオンスクリーン表示例を示す図
【図４】本発明の実施の形態１に係る入出力機能デバイスの電源制御がＯＦＦの場合の消費電力削減量を表示する表示例を示す図
【発明を実施するための形態】
【００１４】
以下本発明を実施するための最良の形態について、図面を参照しながら説明する。
【００１５】
（実施の形態１）
図１は、本発明の実施の形態１に係るテレビジョン受像器の構成を示すブロック図である。テレビジョン受像器は、ＣＰＵ（Ｃｅｎｔｒａｌ  Ｐｒｏｃｅｓｓｉｎｇ  Ｕｎｉｔ）１００と、ＲＯＭ（Ｒｅａｄ  Ｏｎｌｙ  Ｍｅｍｏｒｙ）１１０と、ＲＡＭ（Ｒａｎｄｏｍ  Ａｃｃｅｓｓ  Ｍｅｍｏｒｙ）１２０と、画像処理部１３０と、表示部１４０と、マイクロコンピュータ１７０（制御部）と、電源供給ユニット１８０（電源供給部）と、入出力機能デバイス２００〜２７０と、入出力機能デバイス２００〜２７０と電源供給ユニット１８０の間へ介挿されるパワーＦＥＴ（Ｆｉｅｌｄ  Ｅｆｆｅｃｔ  Ｔｒａｎｓｉｓｔｏｒ）３００〜３７０（スイッチ部）とで構成されている。
【００１６】
ＣＰＵ１００は、システムの中核をなす。そして、ＲＯＭ１１０およびＲＡＭ１２０のメモリ群に格納されたオペレーティングシステムに従い、信号処理演算および入出力機能デバイスの制御を行う。
【００１７】
ＲＯＭ１１０及びＲＡＭ１２０は、主記憶を司る。画質処理部１３０は、ＣＰＵ１００で処理された信号を高画質化する機能を有す。表示部１４０は、画質処理部１３０から入力された高画質化された信号をユーザーが視聴できる形で表示させる機能を有す。
【００１８】
入出力機能デバイス２００〜２７０は、電源供給制御を受ける入出力機能デバイス群であり、ＣＰＵ１００とはデータバスライン１６０を介して接続され、各機能デバイスの状態は通信バスライン１５０を介してマイクロコンピュータ１７０へ通知される。本発明の実施の形態１では、入出力機能デバイスとして、地上波、衛星波等の放送波を受信するＴＵＮＥＲ２００と、ＨＤＭＩコントローラー２１０と、ＶＩＤＥＯコントローラー２２０と、ＬＡＮコントローラー２３０と、ｉ.Ｌｉｎｋコントローラー２４０と、ＵＳＢコントローラー２５０と、ＰＣ入力コントローラー２６０と、ＳＤカードコントローラー２７０を例示している。
【００１９】
また、パワーＦＥＴ制御ライン４００〜４７０は、パワーＦＥＴ３００〜３７０のＯＮ／ＯＦＦを制御する信号ラインであり、マイクロコンピュータ１７０により制御される。パワーＦＥＴ電源供給ライン５００〜５７０は、電源供給ユニット１８０の出力端子から各パワーＦＥＴの入力端子へ電源を供給する。そして入出力機能デバイス電源供給ライン６００〜６７０は、各パワーＦＥＴの出力端子から各々の入出力機能デバイスの電源入力端子へ電源を供給する。
【００２０】
本実施の形態におけるテレビジョン受像器では、電源供給ユニット１８０の出力端子と入出力機能デバイス２００〜２７０の各電源入力端子との間にパワーＦＥＴ３００〜３７０が挿入されている。そして、パワーＦＥＴ３００〜３７０のＯＮ／ＯＦＦ制御をマイクロコンピュータ１７０の出力信号であるパワーＦＥＴ制御ライン４００〜４７０で実施する構成となっている。なお、パワーＦＥＴ３００〜３７０のＯＮ／ＯＦＦ制御は、ユーザーが任意に設定して実施する場合と、入出力機能デバイスの使用状態をＣＰＵ１００およびマイクロコンピュータ１７０が自動的に判断しコントロールすることにより実施される。これらの処理については後ほど詳述する。
【００２１】
図２、図３、図４は、本発明の実施の形態１に係るテレビジョン受像器の動作を説明するための図である。図２は、ＴＵＮＥＲ２００への電源供給ＯＮ／ＯＦＦ制御の動作を示すフローチャートである。図３は、ユーザーに対して入出力機能デバイス毎の個別の電源ＯＮ/ＯＦＦ制御を促すオンスクリーン表示例を示す図である。図４は、ユーザーに対して入出力機能デバイスの電源制御がＯＦＦの場合の消費電力削減量を表示する表示例を示す図である。
【００２２】
まず、図２を用いて、本発明の実施の形態１に係るテレビジョン受像器の動作について詳細に説明する。図２では、入出力機能デバイスの使用状態に応じて、入出力機能デバイスの電源供給制御を行っている。なお、本実施の形態では、ＴＵＮＥＲ２００の電源供給制御について例示する。
【００２３】
テレビジョン受像器の主電源がＯＮされると、電源供給ユニット１８０が起動し、電源供給ユニット１８０は、ＴＵＮＥＲ２００を含む入出力機能デバイス２００〜２７０すべてへ電源供給を行なう（ステップＳ２００）。具体的には、テレビジョン受像器の主電源ＯＮに伴い、マイクロコンピュータ１７０からパワーＦＥＴ制御ライン４００〜４７０へパワーＦＥＴをＯＮするための信号が出力され、パワーＦＥＴ３００〜３７０がＯＮされる。パワーＦＥＴ３００〜３７０がＯＮされることで電源供給ユニット１８０からパワーＦＥＴ電源供給ライン５００〜５７０、入出力機能デバイス電源供給ライン６００〜６７０を経て入出力機能デバイス２００〜２７０へ電源供給が行なわれる。これにより、ＴＵＮＥＲ２００に電源が供給され、ＴＵＮＥＲ２００は入出力機能デバイスとして動作可能となる。ここで、主電源ＯＮ時の初期状態においては、入出力機能デバイスとしてＴＵＮＥＲ２００が設定されている。
【００２４】
次に、ユーザーは、どの入出力機能デバイスを用いて入力信号を受信するかを判断する（ステップＳ２１０）。主電源ＯＮ時の初期状態において入出力機能デバイスとしてＴＵＮＥＲ２００が設定されている状況において、ＴＵＮＥＲ２００を継続して使用して放送波を視聴すると判断した場合は（ステップＳ２１０で「Ｎｏ」）、ＴＵＮＥＲ２００で放送波を受信して映像を出力する（ステップＳ２７０）。
【００２５】
ＴＵＮＥＲ２００以外の別の入出力機能デバイスを設定して入力信号を受信して視聴すると判断した場合は（ステップＳ２１０で「Ｙｅｓ」）、別の入出力機能デバイスへ入力切換を実施するにあたり、ＴＵＮＥＲ２００を使用するか否かを判断する（ステップＳ２２０）。ＨＤＭＩコントローラー２１０等を使用し、ＴＵＮＥＲ２００を使用しない場合は（ステップＳ２２０で「Ｎｏ」）、ＴＵＮＥＲ２００への電源供給を停止する（ステップＳ２３０）。この時、マイクロコンピュータ１７０は、パワーＦＥＴ制御ライン４００へパワーＦＥＴ３００をＯＦＦするための信号を出力することで、パワーＦＥＴ３００をＯＦＦし、ＴＵＮＥＲ２００への電源供給を遮断する制御を行う。そして、ＴＵＥＲ２００への電源供給遮断後に、ＨＤＭＩコントローラー２１０等の別の入出力機能デバイスへ入力状態を切り換え（ステップＳ２６０）、別の入出力機能デバイスで受信した入力信号を映像として出力する（ステップＳ２７０）。
【００２６】
一方、例えば、ステップＳ２１０において入出力機能デバイスとしてＨＤＭＩコントローラー２１０等の入出力機能デバイスが設定されている状況において、入力切換先としてＴＵＮＥＲ２００を使用すると判断した場合は（ステップＳ２２０で「Ｙｅｓ」）、現在のＴＵＮＥＲ２００の電源状態を判断する（ステップＳ２４０）。ＴＵＮＥＲ２００へ電源供給がなされていないと判断した場合は（ステップＳ２４０で「Ｎｏ」）、ＴＵＮＥＲ２００への電源供給を実施する（ステップＳ２５０）。具体的には、マイクロコンピュータ１７０は、パワーＦＥＴ制御ライン４００によってパワーＦＥＴ３００をＯＮするための信号を出力してパワーＦＥＴ３００をＯＮさせ、電源供給ユニット１８０からＴＵＮＥＲ２００へ電源供給を行なわせる。そして、ＴＵＮＥＲ２００へ入力状態を切り換え（ステップＳ２６０）、ＴＵＮＥＲ２００で放送波を受信して映像を表示する（ステップＳ２７０）。
【００２７】
そして、テレビジョン受像器は、主電源ＯＮの間（ステップＳ２８０で「Ｎｏ」）、上記処理を繰り返す。ユーザーが主電源ＯＦＦを実行した場合は（ステップＳ２８０で「Ｙｅｓ」）上記処理を終了する。
【００２８】
以上の処理により、マイクロコンピュータ１７０がパワーＦＥＴ３００〜３７０のＯＮ／ＯＦＦを個別に制御し、入出力機能デバイス毎に電源の供給または遮断を行うことができる。
【００２９】
次に、図３を用いて、ユーザーが電源供給制御を行う入出力機能デバイスを任意に設定して電源供給制御する処理を説明する。テレビジョン受像器は、所定タイミングあるいはユーザー要求に応じて、図３に例示するオンスクリーン画面を表示し、ユーザーが入出力機能デバイスの電源供給ＯＮ／ＯＦＦを個別に指示できるようにする。このオンスクリーン上の指示に基づき、マイクロコンピュータ１７０は、該当するパワーＦＥＴ制御ライン４００〜４７０へ制御信号を出力し、パワーＦＥＴ３００〜３７０のＯＮ／ＯＦＦを制御する。
【００３０】
更に、ユーザーによる入出力機能デバイスの電源制御指示にあたって、図４に例示するオンスクリーン画面を、ユーザーによる入出力機能デバイスの電源供給ＯＮ／ＯＦＦの個別制御の際に、消費電力削減効果を表示部１４０のオンスクリーンディスプレイへ定量的に表示する。各入出力機能デバイス２００〜２７０の消費電力削減量は、予めＲＯＭ１１０に記憶されており、ユーザーの選択状態に応じて削減量のデータをＣＰＵ１００が読み出し、画質処理部１３０を介して表示部１４０のオンスクリーンディスプレイ上へ表示させる。
【００３１】
以上説明したように、本発明は、電源供給ユニット１８０と電源供給ＯＮ／ＯＦＦのスイッチをなすパワーＦＥＴ３００〜３７０を介して電源供給ユニット１８０から電源供給を受ける入出力機能デバイス２００〜２７０、及び電源供給のＯＮ／ＯＦＦを制御するマイクロコンピュータ１７０で構成される。上記のパワーＦＥＴ３００〜３７０をマイクロコンピュータ１７０が個別にＯＮ／ＯＦＦ制御することにより、それぞれの入出力機能デバイス２００〜２７０への電源供給制御を行う。また、入出力機能デバイス２００〜２７０のＯＮ／ＯＦＦは、表示部１４０のオンスクリーンディスプレイ上でユーザーによる個別制御によって行う。更に、ユーザーによるＯＦＦ制御の選択にあたっては、制御を受ける入出力機能デバイス２００〜２７０の消費電力削減量をオンスクリーンディスプレイ上へ表示する。
【産業上の利用可能性】
【００３２】
本発明によれば、テレビジョン受像器を構成する入出力機能デバイスの電源ＯＮ／ＯＦＦ制御を個別に実施することが可能となるため、テレビジョン受像器のみならず、複数の入出力機能デバイスを有する機器における省電力化に有用である。
【符号の説明】
【００３３】
１００    ＣＰＵ
１１０    ＲＯＭ
１２０    ＲＡＭ
１３０    画質処理部
１４０    表示部
１５０    通信バスライン
１６０    データバスライン
１７０    マイクロコンピュータ
１８０    電源供給ユニット
２００、２１０、２２０、２３０、２４０、２５０、２６０、２７０    入出力機能デバイス
３００、３１０、３２０、３３０、３４０、３５０、３６０、３７０    パワーＦＥＴ
４００、４１０、４２０、４３０、４４０、４５０、４６０、４７０    パワーＦＥＴ制御ライン
５００、５１０、５２０、５３０、５４０、５５０、５６０、５７０    パワーＦＥＴ電源供給ライン
６００、６１０、６２０、６３０、６４０、６５０、６６０、６７０    入出力機能デバイス電源供給ライン
【図１】
2011228986.tif 000003
【図２】
2011228986.tif 000004
【図３】
2011228986.tif 000005
【図４】
2011228986.tif 000006